(57)【要約】    【課題】  平衡−不平衡変換機能を有し、不平衡端子のインピーダンスと平衡端子のインピーダンスとの比が大きくされている弾性波フィルタ装置を得る。    【解決手段】  圧電基板２上に縦結合共振子型の第１，第２の弾性表面波フィルタ部６，７が形成されており、弾性表面波フィルタ部６，７は、それぞれ、表面波伝搬方向に配置された第１〜第３のＩＤＴ１１〜１３及び第４〜第６のＩＤＴ１４〜１６を有し、第１，第３のＩＤＴ１１，１３及び第４，第６のＩＤＴ１４，１６が不平衡端子３に接続されており、第２，第５のＩＤＴ１２，１５が、それぞれ、第１，第２の平衡端子４，５に接続されており、第２，第５のＩＤＴ１２，１５が、表面波伝搬方向に分割されて設けられた第１，第２の分割ＩＤＴ部１２ａ，１２ｂ，１５ａ，１５ｂを有し、第１，第２の分割ＩＤＴ部１２ａ，１２ｂ，１５ａ，１５ｂが直列接続されている、弾性波フィルタ装置。【選択図】      図１
2006229487.tif 000002
【特許請求の範囲】
【請求項１】
不平衡端子と、第１，第２の平衡端子とを有するバランス型弾性波フィルタ装置であって、
圧電基板と、
前記圧電基板に形成されており、３ＩＤＴ型かつ縦結合共振子型の第１，第２の弾性波フィルタ部とを備え、
前記第１の弾性波フィルタ部が、前記第１の平衡端子に接続されている第２のＩＤＴと、弾性波伝搬方向において第２のＩＤＴの両側に配置されており、かつ前記不平衡端子に接続されている第１，第３のＩＤＴとを有し、
前記第２の弾性波フィルタ部が、前記第２の平衡端子に接続されている第５のＩＤＴと、弾性波伝搬方向において第５のＩＤＴの両側に配置されており、かつ前記不平衡端子に接続されている第４，第６のＩＤＴとを有し、
前記第１の平衡端子に流れる電気信号の位相が、前記第２の平衡端子に流れる電気信号の位相と１８０度異なるように前記第１〜第６のＩＤＴが構成されており、
前記第１の弾性波フィルタ部の前記第２のＩＤＴと、前記第２の弾性波フィルタ部の前記第５のＩＤＴとが、それぞれ、弾性波伝搬方向に分割されて設けられた第１，第２の分割ＩＤＴ部を有し、該第１，第２の分割ＩＤＴ部が電気的に直列に接続されていることを特徴とする、バランス型弾性波フィルタ装置。
【請求項２】
前記第２のＩＤＴの弾性波伝搬方向両側に位置する最外側電極指が第２のＩＤＴにおいて第１，第２の分割ＩＤＴ部を直列接続している部分に接続されており、前記第５のＩＤＴの弾性波伝搬方向両側に位置する最外側電極指が、第５のＩＤＴにおいて第１，第２の分割ＩＤＴ部を直列接続している部分に接続されている、請求項１に記載のバランス型弾性波フィルタ装置。
【請求項３】
前記弾性波として、弾性波表面波を用い、それによって弾性波表面波フィルタ装置が構成されている、請求項１または２に記載のバランス型弾性波フィルタ装置。
【請求項４】
前記弾性波として、弾性境界波が用いられ、それによって弾性境界波フィルタ装置が構成されている、請求項１または２に記載のバランス型弾性波フィルタ装置。
【発明の詳細な説明】
【技術分野】
【０００１】
本発明は、平衡−不平衡変換機能を有するバランス型弾性波フィルタ装置に関する。
【背景技術】
【０００２】
弾性表面波フィルタは、移動体通信機器において、アンテナと差動アンプとの間に帯域フィルタとして接続されることが多い。この場合、アンテナは不平衡信号を入出力する。他方、差動アンプは平衡信号を入出力する。従って、アンテナと差動アンプとの間において、不平衡−平衡変換機能を有する部品を挿入する必要がある。平衡−不平衡変換機能を有する弾性表面波フィルタを上記帯域フィルタとして用いた場合には、平衡−不平衡変換機能を実現する部品、すなわちバランを省略することができる。従って、従来、平衡−不平衡変換機能を有するバランス型弾性表面波フィルタが種々提案されている。
【０００３】
もっとも、アンテナの特性インピーダンスは通常５０Ωであり、差動アンプの特性インピーダンスは１００Ω以上であり、１０００Ω程度であることも珍しくない。従って、平衡−不平衡変換機能を有する弾性表面波フィルタでは、インピーダンス変換機能をも併せ持つことが求められている。
【０００４】
下記の特許文献１には、このようなインピーダンス変換機能を有するバランス型弾性表面波フィルタ装置が開示されている。
【０００５】
図４は、特許文献１に記載のバランス型弾性表面波フィルタ装置の電極構造を示す模式的平面図である。弾性表面波フィルタ装置１０１は、不平衡端子１０２と、第１，第２の平衡端子１０３，１０４とを有する。不平衡端子１０２に、第１，第２の縦結合共振子型弾性表面波フィルタ１０５，１０６が接続されている。弾性表面波フィルタ１０５，１０６は、それぞれ、第１〜第３のＩＤＴ１０５ａ〜１０５ｃ，１０６ａ〜１０６ｃを有する３ＩＤＴ型の縦結合共振子型弾性表面波フィルタである。ＩＤＴ１０５ａ〜１０５ｃ，１０６ａ〜１０６ｃの表面波伝搬方向両側には、それぞれ、反射器１０５ｄ，１０５ｅ，１０６ｄ，１０６ｅが配置されている。
【０００６】
中央の第２のＩＤＴ１０５ｂ，１０６ｂが、共通接続され、不平衡端子１０２に接続されている。弾性表面波フィルタ１０５の両側のＩＤＴ１０５ａ，１０５ｃが共通接続され、第１の平衡端子１０３に接続されている。また、弾性表面波フィルタ１０６の第１，第３のＩＤＴ１０６ａ，１０６ｃが共通接続されて第２の平衡端子１０４に接続されている。第１，第２の弾性表面波フィルタ１０５，１０６の位相は１８０°異ならされている。
【０００７】
特許文献１に記載の弾性表面波フィルタ装置１０１では、第１，第２の縦結合共振子型弾性表面波フィルタ１０５，１０６の表面波伝搬路が同じ方向に配置されており、かつ第１，第２の弾性表面波フィルタ１０５，１０６間の間隔をｄ1、使用されている圧電基板の厚みをｔとしたときに、ｄ1≦２．３×ｔまたはｄ1≧２．８×ｔとされており、それによって伝送特性が改善され得ると記載されている。
【０００８】
また、弾性表面波フィルタ装置１０１では、弾性表面波フィルタ１０５，１０６の入力インピーダンスをＺとしたとき、不平衡端子１０２におけるインピーダンスは、弾性表面波フィルタ１０５，１０６の入力インピーダンスを並列接続したインピーダンスとなるため、約Ｚ／２となる。平衡端子１０３，１０４におけるインピーダンスは、弾性表面波フィルタ１０５，１０６のインピーダンスを直列接続したインピーダンスであるため、約２Ｚとなる。従って、不平衡端子１０２におけるインピーダンスと、平衡端子１０３，１０４におけるインピーダンスとの比は約１：４とされ得る。
【特許文献１】特開２００２−２９０２０３号公報
【発明の開示】
【発明が解決しようとする課題】
【０００９】
上記のように、特許文献１に記載の弾性表面波フィルタ装置では、不平衡端子１０２側のインピーダンスと、平衡端子１０３，１０４側のインピーダンスとの比を約１：４とすることが可能とされている。
【００１０】
従って、例えばアンテナの入出力インピーダンスが５０Ωであり、弾性表面波フィルタ装置の後段に接続される差動アンプの特性インピーダンスが２００Ω程度である場合には、上記バランス型弾性表面波フィルタ装置１０１を好適に用いることができる。
【００１１】
しかしながら、近年、この種の用途で用いられる差動アンプの特性インピーダンスは２００Ωよりも大きくなってきており、前述したように、１０００Ω程度であることも珍しくない。
【００１２】
従って、特許文献１に記載のバランス型弾性表面波フィルタ装置１０１を用いたとしても、このような大きな特性インピーダンスを有する差動アンプが後段に接続される場合、インピーダンスを変換する部品をさらに接続しなければならなかった。すなわち、特許文献１に記載のバランス型弾性表面波フィルタ装置では、インピーダンス変換機能が十分でなく、従って入出力インピーダンス比をより一層大きくすることが可能なバランス型弾性表面波フィルタ装置が求められている。
【００１３】
他方、近年、弾性表面波フィルタだけでなく、弾性境界波などの他の弾性波を利用した弾性波フィルタ装置も知られている。弾性境界波フィルタは圧電基板と誘電体とが積層された境界にＩＤＴを有しており、境界を伝搬する弾性境界波を用いる。弾性表面波フィルタとまったく同じような電極を形成して弾性境界波フィルタを構成できる。このような弾性波フィルタ装置一般においても、上記のように平衡−不平衡変換機能と、大きなインピーダンス変換機能とを有することが求められている。
【００１４】
本発明の目的は、上述した従来技術の現状に鑑み、平衡−不平衡変換機能を有するだけでなく、不平衡端子側のインピーダンスと平衡端子側のインピーダンスとの比がより一層大きくされたインピーダンス変換機能を有する弾性波フィルタ装置を提供することにある。
【課題を解決するための手段】
【００１５】
本発明は、不平衡端子と、第１，第２の平衡端子とを有するバランス型弾性波フィルタ装置であって、圧電基板と、前記圧電基板に形成されており、３ＩＤＴ型かつ縦結合共振子型の第１，第２の弾性波フィルタ部とを備え、前記第１の弾性波フィルタ部が、前記第１の平衡端子に接続されている第２のＩＤＴと、弾性波伝搬方向において第２のＩＤＴの両側に配置されており、かつ前記不平衡端子に接続されている第１，第３のＩＤＴとを有し、前記第２の弾性波フィルタ部が、前記第２の平衡端子に接続されている第５のＩＤＴと、弾性波伝搬方向において第５のＩＤＴの両側に配置されており、かつ前記不平衡端子に接続されている第４，第６のＩＤＴとを有し、前記第１の平衡端子に流れる電気信号の位相が、前記第２の平衡端子に流れる電気信号の位相と１８０度異なるように前記第１〜第６のＩＤＴが構成されており、前記第１の弾性波フィルタ部の前記第２のＩＤＴと、前記第２の弾性波フィルタ部の前記第５のＩＤＴとが、それぞれ、弾性波伝搬方向に分割されて設けられた第１，第２の分割ＩＤＴ部を有し、該第１，第２の分割ＩＤＴ部が電気的に直列に接続されていることを特徴とする。
【００１６】
本発明のある特定の局面では、前記第２のＩＤＴの弾性波伝搬方向両側に位置する最外側電極指が第２のＩＤＴにおいて第１，第２の分割ＩＤＴ部を直列接続している部分に接続されており、前記第５のＩＤＴの弾性波伝搬方向両側に位置する最外側電極指が、第５のＩＤＴにおいて第１，第２の分割ＩＤＴ部を直列接続している部分に接続されている。
【００１７】
本発明に係るバランス型弾性波フィルタ装置の他の特定の局面では、上記弾性波として弾性波表面波が用いられ、それによってバランス型の弾性波表面波フィルタ装置が構成される。
【００１８】
本発明に係るバランス型弾性波フィルタ装置の他の特定の局面では、上記弾性波として、弾性境界波が用いられ、それによってバランス型弾性境界波フィルタ装置が構成される。
【発明の効果】
【００１９】
本発明に係るバランス型弾性波フィルタ装置は、縦結合共振子型の第１，第２の弾性波フィルタ部を備えており、第１の弾性波フィルタ部の第２のＩＤＴが第１の平衡端子に、第１，第３のＩＤＴが不平衡端子に接続されており、第２の弾性波フィルタ部における中央の第５のＩＤＴが第２の平衡端子に接続されており、第４，第６のＩＤＴが不平衡端子に接続されており、第１の平衡端子に流れる電気信号の位相が、第２の平衡端子に流れる電気信号の位相と１８０°異なるように第１〜第６のＩＤＴが構成されている。従って、平衡−不平衡変換機能を有するバランス型弾性波フィルタ装置を提供することができる。
【００２０】
しかも、第１の弾性波フィルタ部の第２のＩＤＴと、第２の弾性波フィルタ部の第５のＩＤＴとは、それぞれ、弾性波伝搬方向に分割されて設けられた第１，第２の分割ＩＤＴ部を有し、該第１，第２の分割ＩＤＴ部が電気的に直列接続されているため、不平衡端子側のインピーダンスと平衡端子側のインピーダンスとの比が約１：１６とされ得る。
【００２１】
すなわち、第１，第２の弾性波フィルタ部の第２，第５のＩＤＴを第１，第２の平衡端子に、第１，第３のＩＤＴ及び第４，第６のＩＤＴを不平衡端子に接続するように第１，第２の弾性波フィルタ部を設けた構成では、特許文献１に記載の構成と同様に、不平衡端子側のインピーダンスと平衡端子側のインピーダンスとの比は約１：４である。
【００２２】
また、本発明では、第２，第５のＩＤＴが、それぞれ弾性波伝搬方向に二分割され、かつ第２，第５のＩＤＴにおいて、それぞれ、第１，第２の分割ＩＤＴ部が直列に接続されているため、平衡端子側のインピーダンスを特許文献１に記載の弾性表面波フィルタの場合に比べて４倍の大きさとすることができる。よって、本発明によれば、不平衡端子側のインピーダンスと、平衡端子側のインピーダンスとの比を約１：１６とすることができる。従って、平衡−不平衡変換機能を有し、かつ大きなインピーダンス変換機能を有する弾性波フィルタ装置を提供することが可能となる。
【００２３】
本発明において、第２のＩＤＴの弾性波伝搬方向両側に位置する最外側電極指が第１，第２の分割ＩＤＴ部を直列接続している部分に接続されており、第５のＩＤＴの弾性波伝搬方向両側に位置する最外側電極指が、第５のＩＤＴにおいて第１，第２の分割ＩＤＴ部を直列接続している部分に接続されている場合には、第１，第２の平衡端子に接続されるＩＤＴである、第２，第５のＩＤＴにおいて、隣接する第１，第３のＩＤＴや第４，第６のＩＤＴに隣り合う電極指である最外側電極指が上記直列接続部分に接続されることになる。従って、第２，第５のＩＤＴと、第１，第３のＩＤＴまたは第４，第６のＩＤＴとが隣り合っている部分において、平衡信号が印加された電極指と、不平衡信号が印加された電極指とが隣り合うことがない。よって、帯域外減衰量の拡大及び平衡度の向上を図ることができる。
【発明を実施するための最良の形態】
【００２４】
図１は、本発明の一実施形態に係る弾性表面波フィルタ装置の模式的平面図である。本実施形態では、弾性波フィルタ装置として、３ＩＤＴ型の縦結合共振子型の第１，第２の弾性表面波フィルタ部を有する弾性表面波フィルタ装置が構成されている。
【００２５】
弾性表面波フィルタ装置１は、圧電基板２を有する。圧電基板２は、ＬｉＴａＯ3、ＬｉＮｂＯ3または水晶などの圧電単結晶、あるいは圧電セラミックスからなる。また、圧電基板２は、圧電材料からなる基板または絶縁基板上に圧電薄膜を形成した構造を有していてもよい。
【００２６】
本実施形態の弾性表面波フィルタ装置１は、平衡−不平衡変換機能を有するバランス型弾性表面波フィルタ装置であり、不平衡端子３と、第１，第２の平衡端子４，５とを有する。
【００２７】
圧電基板２上に、３ＩＤＴ型の縦結合共振子型の第１，第２の弾性表面波フィルタ部６，７が構成されている。
【００２８】
第１の弾性表面波フィルタ部６では、弾性表面波伝搬方向に沿って第１〜第３のＩＤＴ１１〜１３が配置されている。また、第２の弾性表面波フィルタ部７においても、弾性表面波伝搬方向に沿って第４〜第６のＩＤＴ１４〜１６が配置されている。
【００２９】
第１の弾性表面波フィルタ部６において、第１〜第３のＩＤＴ１１〜１３が設けられている領域の表面波伝搬方向両側には反射器１７ａ，１７ｂが配置されている。また、第２の弾性表面波フィルタ部７においては、第４〜第６のＩＤＴ１４〜１６が設けられている領域の表面波伝搬方向両側には反射器１８ａ，１８ｂが配置されている。
【００３０】
第１の弾性表面波フィルタ部６において、中央の第２のＩＤＴ１２の両側に位置する第１，第３のＩＤＴ１１，１３の一端が共通接続され、かつ弾性表面波共振子８を介して不平衡端子３に接続されている。同様に、第２の弾性表面波フィルタ部７の中央のＩＤＴ１５の両側に位置する第４，第６のＩＤＴ１４，１６が共通接続され、１ポート型の弾性表面波共振子８を介して不平衡端子３に接続されている。
【００３１】
なお、弾性表面波共振子８は、ＩＤＴ８ａと、ＩＤＴ８ａの表面波伝搬方向両側に配置された反射器８ｂ，８ｃとを有する。
【００３２】
第１の弾性表面波フィルタ部６の中央の第２のＩＤＴ１２は、一方のバスバーを分割することにより形成された、第１，第２の分割ＩＤＴ部１２ａ，１２ｂを有する。第１，第２の分割ＩＤＴ部１２ａ，１２ｂは、表面波伝搬方向に配置されている。すなわち、ＩＤＴ１２を表面波伝搬方向に二分割することにより、第１，第２の分割ＩＤＴ部１２ａ，１２ｂが設けられている。
【００３３】
分割ＩＤＴ部１２ａ，１２ｂは、バスバー１２ｃにより直列に接続されている。第１の分割ＩＤＴ部１２ａは、第１のＩＤＴ１１側に位置しており、かつ１ポート型の弾性表面波共振子９を介して第１の平衡端子４に接続されている。
【００３４】
弾性表面波共振子９は、ＩＤＴ９ａと、ＩＤＴ９ａの表面波伝搬方向両側に配置された反射器９ｂ，９ｃとを有する。
【００３５】
他方、第２の弾性表面波フィルタ部７の中央の第５のＩＤＴ１５も同様に、表面波伝搬方向に二分割することにより設けられた第１，第２の分割ＩＤＴ部１５ａ，１５ｂを有し、第１，第２の分割ＩＤＴ部１５ａ，１５ｂは、バスバー１５ｃにより直列に接続されている。
【００３６】
第２の分割ＩＤＴ部１５ｂが１ポート型の弾性表面波共振子１０を介して第２の平衡端子５に接続されている。弾性表面波共振子１０は、ＩＤＴ１０ａと、ＩＤＴ１０ａの表面波伝搬方向両側に配置された反射器１０ｂ，１０ｃとを有する。
【００３７】
本実施形態では、第１〜第６のＩＤＴ１１〜１６が、上記第１，第２の平衡端子で取り出される信号の位相が１８０°異なるように配置されている。
【００３８】
他方、本実施形態の弾性表面波フィルタ装置１では、不平衡端子３に第１，第２の弾性表面波フィルタ部６，７の第１，第２のＩＤＴ１１，１３及び第４，第６のＩＤＴ１４，１６が接続されており、中央の第２，第５のＩＤＴ１２，１５が第１，第２の平衡端子４，５にそれぞれ接続されている構成によりインピーダンス比を４倍とすることが可能とされており、さらに、第２，第５のＩＤＴ１２，１５が上記のように構成されているため、不平衡端子３と平衡端子４，５とのインピーダンス比を約１：１６とすることができる。
【００３９】
すなわち、第２のＩＤＴ１２及び第５のＩＤＴ１５は、それぞれ、第１，第２の分割ＩＤＴ部１２ａ，１２ｂ，１５ａ，１５ｂを有する。また、第１，第２の分割ＩＤＴ部１２ａ，１２ｂは電気的に直列に接続されており、第１，第２の分割ＩＤＴ部１５ａ，１５ｂも電気的に直列に接続されている。従って、第２，第５のＩＤＴ１２，１５の特性インピーダンスは、上記第１，第２の分割ＩＤＴ部１２ａ，１２ｂ，１５ａ，１５ｂを設けない場合に比べて４倍とされている。よって、本実施形態では、不平衡端子３と第１，第２の平衡端子４，５とのインピーダンス比を約１：１６と非常に大きくすることが可能とされている。
【００４０】
加えて、本実施形態では、第２のＩＤＴ１２の表面波伝搬方向両側に位置する最外側電極指１２ｄ，１２ｅが、バスバー１２ｃに接続されている。すなわち、最外側電極指１２ｄ，１２ｅは第１，第２の分割ＩＤＴ部１２ａ，１２ｂを直列接続している部分に接続されている。
【００４１】
よって、第１のＩＤＴ１１と第２のＩＤＴ１２とが隣り合っている部分においては、電極指１２ｄが第１のＩＤＴ１１と隣り合っているが、電極指１２ｄは第１の平衡端子４に流れる平衡信号が印加される電極指とは異なる電極指である。言い換えれば、第１のＩＤＴ１１の第２のＩＤＴ１２側の最外側電極指１１ａには不平衡信号が印加されるが、第２のＩＤＴ１２の第１のＩＤＴ１１側の最外側電極指１２ｄには平衡信号は印加されない。従って、第１，第２のＩＤＴ１１，１２が隣り合っている部分において、平衡信号が印加される電極指と、不平衡信号が印加される電極指とが隣り合うことにはならない。
【００４２】
平衡信号が流れる電極指と、不平衡信号が流れる電極指とが隣り合っている場合には、両者の間の電磁結合により直達波が生じ、帯域外減衰量が低下したり、平衡信号の平衡度が低下するおそれがある。これに対して、上記第１，第２のＩＤＴ１１，１２が隣り合っている部分では、前述したように平衡信号が印加される電極指と不平衡信号が印加される電極指とが隣り合わないため、帯域外減衰量の拡大及び平衡度の向上を図ることができる。
【００４３】
同様に、第２のＩＤＴ１２の第３のＩＤＴ１３側の最外側電極指１２ｅと、第３のＩＤＴ１３の第２のＩＤＴ１２側の電極指１３ａとが隣り合っている部分においても、平衡信号が印加される電極指と、不平衡信号が印加される電極指とが隣り合うことにはならない。
【００４４】
さらに、第２の弾性表面波フィルタ部７においても、第５のＩＤＴ１５の弾性表面波伝搬方向両側の最外側電極指１５ｄ，１５ｅは、第１，第２の分割ＩＤＴ部１５ａ，１５ｂを直列に接続している部分であるバスバー１５ｃに接続されている。従って、第５のＩＤＴ１５の最外側電極指１５ｄと、第４のＩＤＴ１４の第５のＩＤＴ１５側の電極指１４ａとが隣り合っている部分、並びに第５のＩＤＴ１５の最外側電極指１５ｅと、第６のＩＤＴ１６の第５のＩＤＴ１５側の最外側電極指１６ａとが隣り合っている部分においても、平衡信号が印加される電極指と不平衡信号が印加される電極指とが隣り合うことはない。よって、帯域外減衰量の拡大及び平衡度の改善を図ることが可能とされている。
【００４５】
もっとも、本発明においては、第２，第５のＩＤＴ１２，１５の最外側電極指１２ｄ，１２ｅ，１５ｄ，１５ｅは、第１，第２の分割ＩＤＴ部１２ａ，１２ｂ，１５ａ，１５ｂを直列接続している部分に電気的に接続される必要は必ずしもない。このような変形例を図２に模式的平面図で示す。
【００４６】
図２に示す変形例の弾性表面波フィルタ装置２１では、第２のＩＤＴ２２及び第５のＩＤＴ２５は、第１，第２の分割ＩＤＴ部２２ａ，２２ｂ，２５ａ，２５ｂを有する。もっとも、第２，第５のＩＤＴ２２，２５の表面波伝搬方向最外側に位置する一方の電極指２２ｄ，２２ｅ及び２５ｅ，２５ｄは、それぞれ、第１，第２の分割ＩＤＴ部２２ａ，２２ｂ，２５ａ，２５ｂを直列接続している部分であるバスバー２２ｃ，２５ｃに電気的に接続されていない。
【００４７】
なお、図２に示した弾性表面波フィルタ装置２１は、第２，第５のＩＤＴ２２，２５が上記のように構成されていることを除いては、上記実施形態の弾性表面波フィルタ装置１と同様に構成されている。従って、同一部分については、同一の参照番号を付することによりその説明を省略する。
【００４８】
また、電極指２２ｄには、第１の平衡端子４に印加される信号が印加される。この場合、第１，第２のＩＤＴ１１，２２間において直達波が生じるおそれがあるが、この変形例においても、不平衡端子３側のインピーダンスと、平衡端子４，５側のインピーダンスとの比を約１：１６と大きくすることができ、本発明によって、大きなインピーダンス変換機能を有するバランス型弾性表面波フィルタ装置を提供することができる。
【００４９】
さらに、上記実施形態及び変形例では、適宜１ポート型の弾性表面波共振子を介して不平衡端子３や平衡端子４，５にＩＤＴが接続されていたが、１ポート型の弾性表面波共振子は必ずしも設けられずともよい。
【００５０】
上述してきた実施形態及び変形例の弾性表面波フィルタ装置は、上記のように弾性表面波を利用したものであるが、本発明は、弾性表面波に代えて、弾性境界波などの他の弾性波を用いたものであってもよい。図３は、弾性境界波フィルタ装置の構造を模式的に示す正面断面図である。この弾性境界波フィルタ装置３１では、第１の媒質層としての圧電基板３２と、第２の媒質層としての誘電体３３とが積層されている。圧電基板３２と誘電体３３との境界に複数のＩＤＴを有する電極３４が形成されている。この境界を伝搬する弾性境界波を利用してフィルタとしての特性が得られる。この場合、弾性境界波フィルタ装置３１の電極３４の構造を、前述した弾性表面波フィルタについての実施形態における電極構造と同様に形成することにより、本発明の弾性波フィルタ装置を構成することができる。
【図面の簡単な説明】
【００５１】
【図１】本発明の一実施形態に係る弾性表面波フィルタ装置の模式的平面図。
【図２】本発明の図１に示した実施形態の変形例に係る弾性表面波フィルタ装置を示す模式的平面図。
【図３】本発明が適用される弾性境界波装置の模式的正面断面図。
【図４】従来のバランス型弾性表面波フィルタ装置を説明するための模式的平面図。
【符号の説明】
【００５２】
１…弾性表面波フィルタ装置
２…圧電基板
３…不平衡端子
４，５…第１，第２の平衡端子
６，７…弾性表面波フィルタ部
８，９，１０…弾性表面波共振子
８ａ，９ａ…ＩＤＴ
８ｂ，８ｃ…反射器
９ｂ，９ｃ…反射器
１１〜１６…ＩＤＴ
１２ａ，１２ｂ…第１，第２の分割ＩＤＴ部
１２ｃ…バスバー
１２ｄ，１２ｅ…電極指
１５ａ，１５ｂ…第１，第２の分割ＩＤＴ部
１５ｃ…バスバー
１５ｄ，１５ｅ…電極指
１７ａ，１７ｂ，１８ａ，１８ｂ…反射器
２１…弾性表面波フィルタ装置
２２，２５…ＩＤＴ
２２ａ，２２ｂ…第１，第２の分割ＩＤＴ部
２５ａ，２５ｂ…第１，第２の分割ＩＤＴ部
２２ｃ，２５ｃ…バスバー
２２ｄ，２５ｅ…電極指
３１…弾性境界波フィルタ装置
３２…圧電基板
３３…誘電体
３４…電極
【図１】
2006229487.tif 000003
【図２】
2006229487.tif 000004
【図３】
2006229487.tif 000005
【図４】
2006229487.tif 000006